(57)【要約】【課題】本考案は、複数のゴルフボールをきちんと入れることができるだけでなく、ゴルフボールが外れて落ちてしまうリスクを減らすことができる、ゴルフボール専用の携帯固定盤を提供する。【解決手段】本考案のゴルフボール携帯固定盤は、固定盤からなる。前記固定盤には複数の凹溝が設けられ、各凹溝の頂部には、二つの向かい合う調整部が設けられ、隣接する凹溝内の調整部は、相互が縦方向と横方向に交差するように設けられる。【選択図】図１
0003179465.tif 000002
【実用新案登録請求の範囲】
【請求項１】
固定盤からなる、ゴルフボール携帯固定盤であって、
前記固定盤には、複数の凹溝が設けられ、各凹溝の頂部には、二つの向かい合う調整部が設けられ、隣接する凹溝内の調整部は、相互が縦方向と横方向に交差するように設けられることを特徴とする、ゴルフボール携帯固定盤。
【請求項２】
前記固定盤は、靱性を備える弾性材質からなることを特徴とする、請求項１に記載のゴルフボール携帯固定盤。
【請求項３】
前記弾性材質は、ポリプロピレンであることを特徴とする、請求項２に記載のゴルフボール携帯固定盤。
【請求項４】
前記凹溝は、上が広く下が狭い形状であることを特徴とする、請求項１に記載のゴルフボール携帯固定盤。
【請求項５】
前記凹溝の上下は、空心であることを特徴とする、請求項１に記載のゴルフボール携帯固定盤。
【請求項６】
前記調整部は凸ブロックであることを特徴とする、請求項１に記載のゴルフボール携帯固定盤。
【請求項７】
前記凹溝の間における前記調整部の両側には、更に、少なくとも一つの連結部が設けられることを特徴とする、請求項１に記載のゴルフボール携帯固定盤。
【考案の詳細な説明】
【技術分野】
【０００１】
本考案は携帯固定盤に関し、特に複数のゴルフボールをきちんと入れることができるだけでなく、ゴルフボールが外れて落ちてしまうリスクを減らすことができる、ゴルフボール専用の携帯固定盤に関する。
【背景技術】
【０００２】
一般的に、ゴルフボールを袋にいれただけで特に固定しなかった場合、ボール同士の間の摩擦によりボールが損傷する。また、ゴルフをプレーする際に、腕時計、指輪、鍵、或いは、携帯電話などの小物を袋に入れることが時としてある。この時、これらの小物は、壊れてしまいやすく、しかも、袋を突然あけると、ゴルフボールが落ちて地面に転がっていってしまうことがある。また、ゴルフボールを固定することができる携帯盤もいくつか市場に登場しているものの、取り付けられる数量が不十分だったり、取り付け取り外しがしにくかったりする。従って、ゴルフボールを如何に効率的にいれておけるかの方法は、プレイヤーが最も望んでいることである。このように、従来の携帯盤は問題や不十分な部分があるため、改良が待たれている。
【考案の概要】
【考案が解決しようとする課題】
【０００３】
そこで、本考案は、ゴルフボールの保存量を増やすことができるとともに、数量を明確化することができる、ゴルフボール携帯固定盤を提供することを目的とする。
【０００４】
また、本考案は、ゴルフボールを保存する時に、きちんと並べることができ、外れて落ちてしまうことがない、ゴルフボール携帯固定盤を提供することを目的とする。
【０００５】
また、本考案は、使用者がボールの取り付け取り外しを行いやすい、ゴルフボール携帯固定盤を提供することを目的とする。
【課題を解決するための手段】
【０００６】
上述の目的を達成するために、本考案のゴルフボール携帯固定盤は、固定盤からなる。前記固定盤には複数の凹溝が設けられ、各凹溝の頂部には、二つの向かい合う調整部が設けられ、隣接する凹溝内の調整部は、相互が縦方向と横方向に交差するように設けられる。
【０００７】
好ましくは、前記固定盤は、靱性を備える弾性材質からなる。
【０００８】
好ましくは、前記凹溝の形状は、上が広く下が狭い。
【０００９】
好ましくは、ゴルフボールを凹溝内に入れた時、及び、取出した時、調整部がまず拡張してから収縮して元の状態に戻る。
【考案の効果】
【００１０】
本考案が採用する技術手段によると、使用者がゴルフボール携帯固定盤を使用した時、凹溝内に、一度に複数のゴルフボールを入れることができるだけでなく、ゴルフボールを入れる、或いは、取出した時に、調整部が適度に変化して、ゴルフボールが凹溝から簡単には外れなくなる。
【図面の簡単な説明】
【００１１】
【図１】本考案の構造を示した斜視図である。
【図２】本考案の隣接する凹溝の調整部の一部の拡大図である。
【図３】ゴルフボールを完全に置いた状態を示した説明図である。
【図４】本考案の実施例を示した図である。
【考案を実施するための形態】
【００１２】
図１に示すように、ゴルフボール携帯固定盤は、固定盤１からなる。固定盤は、例えばポリプロピレンのような、靱性を備えた弾性材質からなる。固定盤１には、複数の凹溝１１が設けられ、各凹溝１１の頂部には、二つの向かい合う調整部１２が設けられ、隣接する凹溝１１内の調整部１２は、相互が縦方向と横方向に交差するように設けられる。調整部１２は凸ブロック状であり、凹溝１１と凹溝１１の間には、更に、連結部１３が設けられ、それにより、凹溝１１が受ける圧力と変形の補助を行うことができる。ただし、固定盤１の外周は、凹溝１１を圧迫する他のゴルフボール２がないため、連結部１３を設けていない。
【００１３】
図２から図３を参照する。図２は、本考案の使用状態を示した断面図である。ゴルフボール２を凹溝１１内に入れた時、調整部１２が連結部１３を連動させて周囲に向かって拡張し、ボールの中央に到達した時に拡張が最大となり、その後縮み、それにより、ゴルフボール２は固定される。ただし、もし、隣接する凹溝１１内の調整部１２が同一直線上にある場合、即ち、四つの調整部１２の厚さがある場合、二個のゴルフボール２がこの隣接する凹溝１１を通過することができないため、隣接する凹溝１１の調整部１２は、横向きと縦向きに交互に交差するように設けられている。また、凹溝１１の直径は、ゴルフボール２の直径よりわずかに大きいため、入れた後のボールは、依然として、飛び出てしまわない状態のまま動かすことができる。また、ゴルフボール２は、凹溝１１内から取り出す時、底部の空心箇所から押し出されるため、調整部１２はまず拡張し、ボールの中央に到達した時に拡張が最大になり、次に縮んで元の状態に戻り、さらに小さい力を加えて押すだけでよいため、怪我する心配がなく、特に爪を伸ばしている女性でも簡単に取り出すことができる。
【００１４】
図４に示すように、固定盤１内には、複数のゴルフボール２を入れることができ、しかも、これらのゴルフボール２が取れたり相互に摩擦したりするリスクを心配する必要がない。また、我々がゴルフをプレーする時、身につけているアクセサリー、腕時計、指輪などの小物をとりはずして袋３内に入れることができる。この時、ゴルフボール２はしっかりと固定されているため、袋内の小物を壊してしまうことがない。また、本考案は、袋３に何も入れず単独で使用することができ、この時、袋３はその他の用途に使うことができる。
【符号の説明】
【００１５】
１        固定盤
１１      凹溝
１２      調整部
１３      連結部
２        ゴルフボール
３        袋
【図１】
0003179465.tif 000003
【図２】
0003179465.tif 000004
【図３】
0003179465.tif 000005
【図４】
0003179465.tif 000006